Podtech/llm-jp-corpus-v4-ja_patent huggingface dataset:
(57)【要約】【課題】底のない各種素材の植木鉢に、トルマリン鉱石の粉末を混ぜた底板を設けた、トルマリンの特性を利用した植木鉢を提供する【解決手段】素焼鉢，化粧鉢、金属鉢，合成樹脂鉢等の底のない植木鉢を設け、新たに、その底部に底板を設けたもので、その底板を水をあまり欲っしない植物には小さな穴のあいた底板を、水を頻繁に必要とする植物には中心部に穴のない底板を設ける。底板はトルマリン含有合成樹脂製で合成樹脂にトルマリン鉱石の粉末を混入し、射出成形機で成形された、トルマリンの特性を利用したことを特徴とする底のない植木鉢とトルマリン含有の底板。【選択図】  図１
2006166896.tif 000002
【特許請求の範囲】
【請求項１】
底のない植木鉢で，底部に底板を設け、底板はトルマリン含有合成樹脂製で、その中心部に小さい排水用の穴、又は大きい排水用の穴、あるいは穴なしの底板と用途に合せて使用し、内部に植裁用の用土を保持して植物を育成、栽培及び鑑賞する底のない植木鉢とトルマリン入り底板である。
【請求項２】
底のない植木鉢が素焼鉢、化粧鉢、金属鉢又は合成樹脂鉢である請求項１記載の底のない植木鉢とトルマリン入り底板。
【請求項３】
底板が用途に合せて取り外し交換が可能な請求項１〜２記載の底のない植木鉢とトルマリン入り底板。
【請求項４】
底板はトルマリン含有合成樹脂で成形され、トルマリン鉱石６ミクロン以下の粉末に微紛碎し均一化した粉末０．５〜１０％を合成樹脂と混合、射出成形機で成形した請求項１〜３記載の底のない植木鉢とットルマリン入り底板。
【発明の詳細な説明】
【技術分野】
【０００１】  本発明は、底のない植木鉢とトルマリン入り底板を設けた、トルマリンの特性を利用した植木鉢に関するものである。
【背景技術】
【０００２】  従来は、植木鉢は底があり、植木鉢の下部が大きいか、同径が普通であり、素焼鉢、化粧鉢，金属鉢、又は合成樹脂製の射出成形機による一体成形された植木鉢等がある。又近年、高層住宅に住むようになり、草花、観葉植物等の鉢植え植栽が盛んとなっており、又給水に関するアイデアが多く出ている。
【発明の開示】
【発明が解決しようとする課題】
【０００３】  それには次のような問題点があった。
（イ）旅行等のように長期間の植木鉢への水の供給。
（ロ）湿気過多による根腐れの防止。
（ハ）植木鉢の内外周にカビや、こけが生え易く、雑菌が外部から進入し、繁殖しやすい。
本発明は、以上の問題点を解決するためのものである。
【発明を解決するための手段】
【０００４】  本発明は，素焼鉢、化粧鉢，金属鉢，合成樹脂鉢等の底のない植木鉢を設け、その植木鉢の底部に底板を設ける。底板は、あまり水を欲っしない植物には底板の中央部に穴の明いた底板を、水を頻繁に入れるような植物には中心部に穴のない底板を取り付ける。底板はトルマリン含有合成樹脂製で、樹脂にトルマリンを混入して、射出成形機で成形された底板である。
【発明の効果】
【０００５】  本発明は、底板のない各種植木鉢であり、その底板にトルマリン鉱石の紛末を混ぜた合成樹脂を射出成形機で成形した底板を設けた、水を欲っしない植物、水を頻繁に欲しがる植物により、底板の中央部の穴の大きさを変えることもでき、又底板を取り付けなくも良い、そしてトルマリンの特性である遠赤外線効果、マイナスイオン発生効果、発育促進効果、鮮度保持効果、抗菌効果、熟成効果、殺菌効果、空気浄化等の効果が期待できる。
【発明を実施するための最良の形態】
【０００６】  以下、本発明の実施の形態を説明する。
（イ）素焼鉢、化粧鉢、金属鉢、合成樹脂鉢等の底がない植木鉢を設ける。
（ロ）トルマリン含有合成樹脂の底板を設け、その中心部は小さい穴、大きい穴、穴のない底板等使用方法で選ぶ。
（ハ）底板の合成樹脂の材料にトルマリン鉱石６ミクロン以下の粒度の粉末で微粉砕され均一化された粒度のトルマリンを混ぜる。
（ニ）底板の合成樹脂の材料にトルマリン鉱石の粉末を０．５〜１０％の割合で加えて混合機で混合する。
本発明は、以上の構成よりなっている。
これを使用するときは、素焼鉢、化粧鉢、金属鉢、合成樹脂鉢等の底のない植木鉢を設け、トルマリン鉱石の粉末を混ぜて射出成形機で成形した植木鉢の底板を設ける、その中心部は小さい穴、大きい穴、穴のないものがあり、使用方法で選ぶ。
【図面の簡単な説明】
【０００７】
【図１】  本発明の底板を入れた正面断面図である。
【図２】  本発明の正面図と一部断面図である。
【図３】  本発明の底板の正面断面図である。
【図４】  本発明の底板の穴つき正面断面図である
【符号の説明】
【０００８】    １  植木鉢
２  トルマリン入り底板Ａ
３  トルマリン入り底板Ｂ
４  穴
【図１】
2006166896.tif 000003
【図２】
2006166896.tif 000004
【図３】
2006166896.tif 000005
【図４】
2006166896.tif 000006
(57)【要約】【課題】今回の製法は水産加工場において無駄に廃棄される白子は鮮度維持、長期保管が難しい背景から多額な処理費を使い産業廃棄物として処理されています。魚粉の中でも栄養素の高い白子は多種多様な食品添加物として利用されていない現況です。水産業界をみるにロスを少なくする方法が最大の活性につながる方策と考える事が出来ない大きな問題と考えます。【解決手段】今回の製法に関しては白子の真空冷凍乾燥粉末をする事で長期保管可能、又、真空状態から鮮度維持。色合いの保持との利点を重視した豆腐製造方法によっていくらかでも廃棄物削減を目的とした利用方法である。【特許請求の範囲】
【請求項１】
本発明は鮭、又は他の魚類から廃棄物として排出される白子を洗浄後、真空冷凍乾燥粉末に加工し、豆腐成分である大豆豆乳と混合凝固させた豆腐製造を目的とする。
【請求項２】
又、鮭、又は他の魚類から廃棄物として排出される白子を真空冷凍乾燥粉末加工することは食品の栄養成分の濃縮成分であり、他の料理使用に関して食品添加物として利用できる目的と廃棄物の利活用、産廃の削減を合わせて考えた製法である。
【発明の詳細な説明】
【技術分野】
【０００１】  本発明は魚類廃棄物、白子の真空冷凍乾燥粉末加工による豆腐製造に関して。
【背景技術】
【０００２】  従来の魚類廃棄物である、白子加工としては塩漬け冷凍食材が主流で解凍後、生、焼き物等の調理方法であった。
【発明の開示】
【発明が解決しようとする課題】
【０００３】  白子には豊富な栄養素が含まれ、栄養成分としては健康食品、美容成分として利用されているが生産加工場からの大量に処理される白子は現実的に利活用の開発遅れ、保存期間の難しさから殆どが廃棄物として処理されている。【０００４】  又、生産加工場の廃棄処理経費も莫大で水産加工場側から見ても大きな課題である。
【課題を解決するための手段】
【０００５】  鮮度の高い段階で白子の真空冷凍乾燥粉末加工を実施、長期保存可能な状態に処理する。【０００６】  真空冷凍乾燥処理事前に洗浄、ボイル殺菌を実施し補助冷凍庫に保管。【０００７】  豆腐製造の豆乳仕上がり段階での白子粉末との混合凝固を行う豆腐製造である。
【発明の効果】
【０００８】  本製法は白子の食材利用転換による廃棄物の削減を可能に出来る。【０００９】  又、身近な植物性たんぱく質に白子動物性たんぱく質を加えより栄養素の高い豆腐を作り出す事である。【００１０】  白子の長期保存鮮度維持が真空冷凍乾燥粉末状態で可能となり、豆腐以外でも食材添加物として利用しやすくなった。
【発明の実施するための最良の形態】
【００１１】  本製法は鮮度の高い段階で水産加工場から排出された白子を８５℃、３０分でボイル殺菌後、−１０℃冷凍にて保管します。保管冷凍しらこを真空冷凍−３０℃で１０時間乾燥します。乾燥後は微粉機で粉末状に加工します。
【００１２】  豆腐製造に関しては従来の方式とし、豆乳完成で凝固前に白子粉末と配合融合させます。白子粉末は凍結乾燥状態で豆乳と均一に成分溶解します。
【００１３】  又、真空冷凍乾燥処理については熱加工を要せず栄養素の分解、色素分解が無く、自然の色合いを出し、風味、味わいも殆ど生の状態でご賞味が出来ます。
(57)【要約】【課題】従来は害鳥獣撃退にロケット花火を発射する装置はあったが、害鳥獣の活動の頻繁な人の気配のない時の対策が貧困だった。手軽に時間差の発射を無人で行う装置を提供する。【解決手段】ロケット花火を発射させるための数本の銃身を図柄版に備え銃口の下部に点火装置として線香を通す穴を開けた線香受けを付けることを特徴とする。【選択図】  図１
2006166882.tif 000002
【特許請求の範囲】
【請求項１】
害鳥獣除け図柄板から突き出した数本の銃身がロケット花火を自動的に、かつ時間差で発射させる装置。
【発明の詳細な説明】
【技術分野】
【０００１】  この発明は、正面に害鳥獣除けの図柄を施した板に、ロケット花火を差し込む銃身を数本設け、線香による点火でロケット花火が自動的に、かつ時間差で発射する装置である。
【背景技術】
【０００２】  従来、害鳥獣の撃退に印象的な図柄の器具、または音による脅し、ロケット花火を発射しかつ図柄を害鳥獣防御に用いる装置はあったが、図柄のみの器具はすぐに無害を悟られ、音は騒音に難あり、ロケット花火を発射ずる装置は手動で操作するので、無人の時の被害を防げなかった。
【発明の開示】
【発明が解決しようとする課題】
【０００３】  害鳥獣は人の気配のないときに近づくので、それを自動的に、かつ時間差で脅し撃退しようとするものである。
【課題を解決するための手段】
【０００４】銃身に挿入した数本のロケット花火の導火線がそれぞれ接触するように線香を装着させた発射台である。
【発明の効果】
【０００５】  ロケット花火の発射側、すなわち発射台の正面には、害鳥獣に強い記憶を与えるべく同一の図柄を施しているので、害鳥獣は人の気配のない時でも不意に発射する危険を覚え、この発射台を必要箇所に設置することで、かれらの侵入を防ぐ効果がある。
【発明を実施するための最良の形態】
【０００６】  以下、本発明の実施例について説明する。
図柄版１に銃身２を数本取り付け、図柄版１には銃身２の下に当たる位置に線香受け３が銃身の間に一枚ずつとそれらの両端に各１枚取り付けられていて、それらの線香受け３のすべてには銃身にロケット花火を装填したとき、それぞれの導火線が線香に接触するように線香を差し渡す穴５が開けられている。この上部装置を台４の上に銃口を水平方向から垂直方向に可動するように取り付ける。
【図面の簡単な説明】
【０００７】
【図１】本発明の斜視図である。
【符号の説明】
【０００８】  １  図柄版（銃身受け）
２  銃身
３  線香受け
４  台
５  線香を通す穴
Ａ  ロケット花火
Ｂ  線香
Ｃ  ロケット花火の導火線
【図１】
2006166882.tif 000003
【図２】
2006166882.tif 000004
【手続補正書】
【提出日】平成17年2月9日(2005.2.9)
【手続補正１】
【補正対象書類名】明細書
【補正対象項目名】０００７
【補正方法】変更
【補正の内容】
【０００７】
【図１】本発明の斜視図である。
【図２】本発明のロケット花火の点火装置の構成図である。
(57)【要約】【課題】特願２００１−２４６３０５の取水具においは、取水具本体（１）が固定されている為、水面（６）の増水及び減水時に対応出来る幅が非常に少なかった。【解決手段】特願２００１−２４６３０５の取水具において、取水具本体（１）にフロート（１５）を被せ、水面より少し下に設置したことを特徴とする。【選択図】図３
2006166885.tif 000002
【特許請求の範囲】
【請求項１】
取水具開口部（５）を持つ筒状の取水具本体（１）にフロート（１５）を被せた構成からなる取水具。
【請求項２】
取水具本体（１）の内部に中かご（１０）を設置してなる請求項１記載の取水具。
【発明の詳細な説明】
【技術分野】
【０００１】ポンプを内装したろ過装置に取り付ける特願２００１−２４６３０５の取水具にフロートをかぶせ、常に安定した効果が発揮出来るようにした取水具に関するものである。
【背景技術】
【０００２】先に本発明者は特願２００１−２４６３０５なる取水具の出願を行った。しかしその取水具においては、取水具本体（１）が固定されている為、水面（６）の増水減水に対応できる幅が非常に少ないとゆう欠点があった。即ち増水による取水具開口部（５）よりの、表層水（８）の流入量が、ろ過器（３）内装ポンプの吸水量を上回ると、水位（７）と取水具開口部（５）との落差が無くなり表層水（８）の流入が途絶える。また減水により水面（６）が取水具開口部（５）より下がった場合も、取水具開口部（５）からの流入が途絶え、水位（７）は単に吸水口（２）から吸水される深層水（９）のみとなり、本発明の目的が果せなくなった。
【発明の開示】
【発明が解決しようとする課題】
【０００３】本発明は、水面（６）の増水減水に対応できる幅を広げ、特願２００１−２４６３０５の取水具の効果をより増大させた取水具を提供することを課題とする。
【課題を解決するための手段】
【０００４】以上の課題を解決するために、第一発明は、取水具開口部（５）を持つ筒状の取水具本体（１）にフロート（１５）を被せた事を特徴とする取水具である。また、第二発明は、第一発明の取水具本体（１）の内部に中かご（１０）を設置したことを特徴とする取水具である。
【発明の効果】
【０００５】特願２００１−２４６３０５の取水具において、増減水時に不安定であった表層水（８）の流入量が安定することにより、取水具の能力範囲が広がりその効果も最大限発揮される事となる。
【発明を実施するための最良の形態】
【０００６】本発明は以上のような構成であり、特願２００１−２４６３０５の取水具において図（１）のポンプを内装したろ過器（３）を作動させると、取水具本体（１）の内部の水は吸水管（４）を通って吸水（１４）される、その為に取水具本体（１）の水圧が下がり、取水具本体（１）の水面は水位（７）の位置まで下がる。その結果水面（６）と取水具開口部（５）との落差によって、表層水（８）は水位（７）に向かって流れ込み、吸水口（２）から吸い込まれた深層水（９）と共に中かご（１０）でごみ（１１）を除去され、ろ過器（３）でろ過された水は水面（６）に戻されるのである。又、中かご（１０）がごみ（１１）で一杯になれば図（２）のように抜き取って簡単に洗浄する事が出来る。
但し特願２００１−２４６３０５の取水具の効果を最大限発揮させるには、減水時に於いても表層水（８）の適切な流入量を確保する必要が有る。その為に図（３）に示すように、取水具本体（１）にフロート（１５）を被せる。通常フロート（１５）の上部より流入する表層水（８）と、吸水口（２）より吸水される深層水（９）との量的バランスにより調節された水位（７）による浮力により、水面（６）の下に適切に位置するフロート（１５）は、減水時の水面（１６）になると、表層水（１７）の流入が止まり、取水具本体（１）の水位（７）が水位（１８）となる、従ってフロート（１５）は浮力を失って沈むが、水位（１８）より受ける浮力により、減水時の水面（１６）の適切な水面下に位置調整され、再び表層水（１７）が流入する事となる。なお増水においては、水面（１６）が通常水面と考えれば、水面（６）及び水位（７）が増水時の状況となる。
【図面の簡単な説明】
【０００７】
【図１】特願２００１−２４６３０５の取水具の断面図及び全体の作動図である。
【図２】特願２００１−２４６３０５の取水具の中かご（１０）だけを取り出した断面図である。
【図３】特願２００１−２４６３０５の取水具の中かご（１０）を除いた、取水具本体（１）の上部に、フロート（１５）をかぶせたものである。
【符号の説明】
【０００８】  １．取水具本体        ２．吸水口        ３．ろ過器
４．吸水管            ５．開口部        ６．水
７．水位              ８．表層水        ９．深層水
１０．中かご          １４．吸水        １５．フロート
１６．水面            １７．表層水      １８．水位
【図１】
2006166885.tif 000003
【図２】
2006166885.tif 000004
【図３】
2006166885.tif 000005
(57)【要約】【課題】コード式草刈機のナイロン製の刃で仕上げる際に、簡単に取り取りはずしが出来、ワンタッチで手間を掛けずに交換できる、しかも安価に使え、提供出来ることを目的とする。【解決手段】コード式草刈機にナイロン製の糸を使用し、一定長さに切断したナイロン製糸の中央部付近に２個のコブ又は結び目、及び連結部を設け、このナイロン製の糸を中通し式回転板の中心部付近の左右の挿入口に挿入し、回転板の外側から外に出し使用出来る、ナイロン製糸を交換は中通し式回転板の連結部を引張って容易に外せ、交換が素早く簡単に出来ることを特徴とするコード草刈機の中通し式回転板のナイロン糸の改良型。【選択図】図１
2006166890.tif 000002
【特許請求の範囲】
【請求項１】
コード式草刈機の中通し式の回転板に使用するナイロン糸にコブ、又は結び目をつけるナイロン糸の改良。
【請求項２】
コード式草刈機の中通し式の回転板に使用するナイロン糸、２本分を連結部により連結する請求項１記載のナイロン糸の改良。
【請求項３】
コード式草刈機の中通し式の回転板に使用するナイロン糸をロール状に巻き、１本、１本個別に切断可能できるよう、又、手で切断できる切れ目等を設けたもの、あるいは切れ目のないもの等、請求項１〜２記載のナイロン糸の改良。
【請求項４】
コード式草刈機の中通し式の回転板に使用するナイロン糸をワンタッチで手間を掛けずに交換可能な請求項１〜３記載のナイロン糸の改良。
【請求項５】
コード式草刈機の中通し式回転板に使用する一定長さに切断されたナイロン糸のどちらか一方の先端に樹脂等の丸いコブ又は結び目を設けた、ナイロン糸の改良。
【発明の詳細な説明】
【技術分野】
【０００１】  本発明は、雑草等の草刈で、回転式の草刈機に装着して使用するコード式の草刈機においてナイロン製の糸を使用し、又ワンタッチ式で装着できるコード草刈機のナイロン糸に関するものである。
【背景技術】
【０００２】  従来、回転式草刈機には円盤状の回転刃を利用した物が広く使用されている。これらは人体に触れたとき、又は石等の物体に触れたときなどに回転刃が破損したときは、極めて危険であった。最近では合成樹脂製のコード式草刈機が実用化されて入る。消耗が激しくナイロン製のカッターコードの交換が度々あるにもかかわらずワンタッチでできない等の不便さと価格面で高いという欠点があった。参考例として実開昭６１−６９９３０、実開平５−５５８３９，特開平９−２３８５３７が出願されている。
【発明の開示】
【発明が解決しようとする課題】
【０００３】  そのために、次のような問題点があった。
（イ）従来のものは、左右の穴より１本ずつ個別に差し入れ、また取り除くため交換回数も多く、取り除きが大変面倒であった。
（ロ）従来のものは、１本ずつの端に金属の輪を取り付けたもので、簡単に作れず安価でなかった。
本発明は、これらの問題を解決するためになされたものである。
【問題を解決するための手段】
【０００４】  本発明は、コード式草刈機の使用者が、ナイロン製のコードの交換を、使う側はワンタッチで手間を掛けずに交換でき、しかも安価に使えることを目的とする。そして、造る側は簡単に作れ、安価に提供出来ることを目的とする。
（イ）ナイロン製糸にコブ又は結び目をつける。
（ロ）従来左右の穴より個別に差し入れていた２本分を、連結部により連結し１本とする。
（ハ）連結部は１本のナイロンにコブを２つ設ける場合と、あとから連結するものとある。
（ニ）連結部の長さ、ナイロンの長さ、使用目的により全てを設定する。
（ホ）ナイロン製糸の取付けは中通し回転板の内側の左右２個の挿入口より容易に挿入する事が出来、回転板の外側部の細長い穴からナイロン製の糸を出す。
（ヘ）ナイロン製糸の交換は中通し回転板の内側連結部を引っ張ることにより、従来の２本分を同時に且つ容易に外せる。
（ト）連結部により繋がった、従来の２本分を１単位とし、１単位ずつ切断したものと、この１単位分をロール状に繋いだものとの、２通りを設ける。
（チ）ロール状に巻き、手でちぎれる用に、切れ目を入れ、又は入れないものも設ける。
（リ）又，一定の長さに切断した一方の先端にコブを設けた簡単な方法でもできる。
以上を特徴とするワンタッチ中通し式コード草刈機のナイロン糸の改良。
【発明の効果】
【０００５】  コード式草刈機を使用中に、ナイロン製の糸の交換が容易に出来、かつナイロン糸のロールから容易にカッター等を使用しないでも切れ、簡単に取り付け可能な効果が出る。
【発明を実施するための最良の形態】
【０００６】  以下、本発明の実施の形態について説明する。
（イ）一定長さのナイロン製の糸の中心部から左右同じ長さの部分にコブ又は結び目を設ける。
（ロ）コブ又は結び目のついた同じ長さのナイロン糸２本を連結部により連結する。
（ハ）コブ又は結び目の付いたナイロン製の糸を数本単位で連結させる。
（ニ）コブ又は結び目のついたロール状に巻かれた糸に一定長さに切れ目を入れ、あるいは切れ目を入れないロールを設ける。
（ホ）コード草刈機の中通し式回転板にコブ又は結び目のついたナイロン製のロール状に巻いた糸を切れ目のところで手又はカッターで切断する。
（ヘ）中通し式回転板の中心部左右２箇所の挿入口にコブ又は結び目のついたナイロン製の糸の両端を容易に差し込む。
（ト）挿入口に差し込んだナイロン製糸は回転板の外側部の細長い穴から外に出す。
本発明は、以上のような構成で、これを使用するときは、コード草刈機の中通し式回転板の中央部左右の２個の挿入口に、１単位ずつ切断されたもの又は、ナイロン製のロール状糸巻きからコブ又は結び目つきの糸を手又はカッターで切り差し込む、コードの先端は中通し回転板の外周の細長い穴から外に出す。
【図面の簡単な説明】
【０００７】
【図１】  本発明の平面図である。
【図２】  本発明の右側面図である。
【図３】  本発明のナイロン製のコードを通した平面図である。
【図４】  本発明は個別に切断したコブ又は結び目と連結部の平面図である。
【図５】  本発明は数本単位で連結し切れ目を入れた図である。
【図６】  本発明のロール状に巻いた図である。
【符号の説明】
【０００８】  １  中通し式回転板
２  挿入口
３  細長い穴
４  ナイロン製糸
５  コブ又は結び目
６  切れ目
７  連結部
【図１】
2006166890.tif 000003
【図２】
2006166890.tif 000004
【図３】
2006166890.tif 000005
【図４】
2006166890.tif 000006
【図５】
2006166890.tif 000007
【図６】
2006166890.tif 000008
(57)【要約】【課題】発電機の性能を上げることは長年の課題であった。【解決手段】コイル間の磁気をより多く通すために砂鉄を用いる。【選択図】  図１
2006166687.tif 000002
【特許請求の範囲】
【請求項１】
発電機に使用する磁気の伝達に砂鉄を利用する。
【請求項２】
海岸より採取した砂鉄を利用することにより錆びる事の無い発電機になり耐久性が保たれる。
【請求項３】
砂鉄は磁気に対し全ての方向に作用するためコイルに対して有効である。
【請求項４】
砂鉄は粒子が細かくて鉄片に無い磁気の通気性を有するのでコイルの発電に有効である。
【請求項５】
砂鉄は発電機のコイルの間に流し込めるため製造上も有効である。
【請求項６】
砂鉄を利用することによりシリコンやビニール、ソフトプラスチックなどの薄く細いホース状のものにいれコイルと共に巻くなどして使用できる。
【請求項７】
砂鉄を請求項６で述べたようなホース状にしそれを数本二つ編み、三つ編みのように組み合わせるとより有効である。
【発明の詳細な説明】
【技術分野】
【０００１】  本発明は発電機のコイルに電流を発生させるための鉄に砂鉄を用いる。
【背景技術】
【０００２】  従来の発電機に於ては鉄片を使用している。
【発明が解決しようとする課題】
【０００３】  従来の発電機に於てはコイルの間に設置する鉄片が薄く何層にも重ねる事によりコイルに磁気が万遍なく行き渡る様に据付けてあるが、その重ねた方向には磁気は通るが上、下にはただの１個の鉄としてしか作用しない。又鉄片を如何に薄く重ねても限界がある。
【課題を解決するための手段】
【０００４】  砂鉄は粒子が細かく磁気が通り易く磁気に対して、その方向に砂鉄が起立する。そのためあらゆる方向に磁気に対して同時に反応する。又、砂鉄は黒錆であるからそれ以上錆びる事が無く発電機が必要とする風による冷却もその風が潮風であっても何等問題無い。
【発明の効果】
【０００５】  コイルの間に磁気をより多く通す事に発電が増大する。又、砂鉄が全方向に磁気を通す性格を有するため、コイルに対して包み込む事が出来、より多くの電流を発生出来る。
【発明の効果】
【発明の実施するための最良の形態】
【０００６】  発電機のコイルの間、上下左右の何れかにも電流の絶縁する素材で磁気の通るステンレスとかプラスチック、油紙とかで作られたケースに砂鉄を流し込むだけで良い。
【産業上の利用可能性】
【０００７】  従来の発電機は鉄片を利用しているが、砂鉄を利用することによる通電性、製造上も生産性も格段に良くなるので今後全てこの方式になるであろう。
【図面の簡単な説明】
【０００８】
【図１】  上部からの図面である。
【符号の説明】
【０００９】  １    磁石Ｎ極（交互に取り付ける）
２    磁石Ｓ極
３    砂鉄
４    コイル
５    回転軸（回転は外側、内側どちらでも可）
【図１】
2006166687.tif 000003
(57)【要約】【課題】本発明は、組織が所有する携帯電話において、所有する組織にとって好ましくない通話記録を半自動的に検出する方法を提供する。【解決手段】携帯電話の通話記録と組織がもつ電子データの電話帳を照し合せて、組織がもつ電子データの電話帳に登録されていない電話番号との通話を好ましくない通話と判断することで、組織にとって好ましくない通話を半自動的に検出する。【選択図】図１
2006166389.tif 000002
【特許請求の範囲】
【請求項１】
法人等の組織が所持する携帯電話において、所有する組織にとって好ましくない通話記録を検出することを特徴とする携帯電話管理システム。
【発明の詳細な説明】
【技術分野】
【０００１】    本発明は、組織が所有する携帯電話において、所有する組織にとって好ましくない通話記録を半自動的に検出する方法に関する。
【背景技術】
【０００２】  従来、組織が所有する携帯電話を組織構成員が利用する際、好ましくない通話をしたことを組織が知ることは困難であった。
【発明の開示】
【発明が解決しようとする課題】
【０００３】  そこで本発明は、組織にとって好ましくない通話を検出し、組織の料金負担を軽減する手段を提供することを課題とする。
【課題を解決するための手段】
【０００４】  上記の課題を解決するための発明は、携帯電話の通話記録と組織がもつ電子データの電話帳を照し合せて、組織がもつ電子データの電話帳に登録されていない電話番号との通話を好ましくない通話と判断することで、組織にとって好ましくない通話を半自動的に検出することを特徴とする携帯電話管理システムである。
【発明の効果】
【０００５】  本発明によれば、携帯電話の組織にとって好ましくない通話を検出することで、組織の携帯電話の料金負担を軽減することが可能になる。
【発明を実施するための最良の形態】
【０００６】  この発明の一実施形態を示す。
組織内で連絡先の共有のために運用している電子電話帳と契約先通信業者から得られる利用明細データを照し合せる。【０００７】「実施形態の効果」
この実施形態によれば、本発明専用の目的で電話番号を登録する必要はないので、作業負担は小さい。【０００８】「他の実施形態１」
発明を実施するための最良の形態では、組織で別の目的のために運用している電子電話長を使用していたが、他の実施形態では、本発明の実施専用に電話帳を作成する形態でも良い。【０００９】「他の実施形態２」
発明を実施するための最良の形態では、契約先通信業者から得られる利用明細データを使用していたが、他の実施形態では、携帯電話から直接取得した通話履歴データを使用する形態でも良い。
【図面の簡単な説明】
【００１１】
【図１】この発明のデータ処理フロー図である。
【図１】
2006166389.tif 000003
(57)【要約】【課題】  従来、ビットストリーム処理は、可変長データの伸縮に対して行われる事が多い。しかし、ＪＩＳ  Ｘ  ０５１０での８ビット・バイトモードにおいて、単に識別ビット列の前方付加により境界が変化し、これに伴う再配置の為だけに、後続全データの再計算を強いられる場面がある。係る処理に利点は存在しない。【解決手段】  「仕様として許容され、データとして意味がなく、識別ビットの追加により境界が相殺される、予め予測可能なビット列」を識別ビット前方に付加する。【選択図】  図１
2006166388.tif 000002
【特許請求の範囲】
【請求項１】
ＪＩＳ  Ｘ  ０５１０規格において、モデル２の８ビット・バイトモードの符号化を行う場合、復号側が係る規格において「任意」とされている項目を解釈出来るかが不確定であり、かつ、符号化処理境界の不整合による全データ再計算が発生する場合、「データ長０の８ビット・バイトモードブロック」を前方挿入することにより、規格として必須と定められている「符号化文字集合の混在モード」符号化コードを生成し、境界を相殺することによりデータ再構成を不要とする方法。
【請求項２】
「データ長０の８ビット・バイトモードブロック」の前方挿入を行う事により符号化を行うプログラム。
【発明の詳細な説明】
【技術分野】
【０００１】  本発明は、ＪＩＳ  Ｘ  ０５１０において、識別ビット付加による再配置が伴う処理に関する。
【背景技術】
【０００２】  従来、ビットストリーム処理は、可変長データの伸縮に対して行われる事が多い。しかし、単に識別ビット列の前方付加による境界の変化に伴う再配置の為だけに、後続全データの再計算を強いられる場面がある（非特許文献１の、手順１でモデル２シンボルを選択し、手順２で８ビット・バイトモードを選択した場合の手順３）
【非特許文献１】  「日本工業規格  ＪＩＳ  Ｘ  ０５１０」、１９９９年、Ｐ．１９、５．要求事項
【発明の開示】
【発明が解決しようとする課題】
【０００３】  入出力データ境界が同一でかつ、データに対して特殊な符号化を伴わない場合、識別ビットが境界と一致しないが為のデータ再配置には利点が存在しない。係る処理に特殊な機構や手順・処理時間を費やす行為は、全て欠点である。拡張モードが使用出来るのならば問題はないが、このモードの復号解釈は「任意実装」である。
【課題を解決するための手段】
【０００４】  規格として必須と定められている「データ長０の８ビット・バイトモードブロック」を前方挿入することにより「符号化文字集合の混在モード」符号化データを生成し、境界を相殺することによりデータ再構成を不要とする。このブロックの生成データ語は、入力データ数により変化する２種類に限定される。
【発明の効果】
【０００５】  予め生成データ語が限定されている為、「入力データ数による選択」で処理が終了し、後続データはそのまま通過する。単に通過するだけの条件と比較しても、条件分岐は数命令でしかなく、ほぼ無いものとみなせる。入力データ数が事前に判明している場合においては、生成コードが１種類に限定される為、係る処理時間は完全に０となる。
【発明を実施するための最良の形態】
【０００６】  「０ｘ４０  ０ｘ０４」もしくは「０ｘ４０  ０ｘ００  ０ｘ０４」（入力データ数により変化する）を使用する。この生成データ語は、本体の８ビット・バイトモード指示子を含む。
【実施例】
【０００７】  ＪＩＳ  Ｘ  ０５１０規格書  第５章にて、手順１でモデル２−Ｑ、手順２で８ビット・バイトモードを選択した場合の手順３の処理である。図１は実施手順、図２は実施を呼出す手順である。比較の為、従来手順を図３に示す。処理を簡略化する為、予め型番と容量の対応テーブルを作成する。【０００８】  データ格納に必要かつ最小な型番を発見し、型番により適切な生成データ語を複写する。この時点で境界と整合する。生成データ語の追加により犠牲となるデータ数は、型番９までは１、型番１０以上は２であるが、この例において、データ数と容量が一致する確率（すなわち、ビット列追加により、一つ上の型番が選択される確率）は２．３％である。なお、予め入力データ数が判明している場合、このステップは省略される事となり、単に「定型データを複写する」のみである。【０００９】  後続データをそのまま複写する。【００１０】  終端パターンと埋め草を複写する。【００１１】  単に複写するのみの処理（必須処理）に上乗せされる（＝無駄な処理である）従来手順のビット列計算命令数は「入力文字数＊５＋文字数指示子バイト数＊５」から導かれる、「７８５０命令」である。実施手順では、相殺ビット列の決定による分岐と、出力に要する５命令のみである。
【図面の簡単な説明】
【００１２】
【図１】  「ＪＩＳ  Ｘ  ０５１０モデル２−Ｑ、８ビット・バイトモードでの実施手順例である。」
【図２】  「実施を呼出す手順である。」
【図３】  「比較用の従来手順である。」
【図１】
2006166388.tif 000003
【図２】
2006166388.tif 000004
【図３】
2006166388.tif 000005
(57)【要約】      （修正有）【課題】泡の発生および消滅を繰り返しながら、泡を一定量に保つ方法及びその方法を用いた補注器。【解決手段】発生させた泡３が所望の容器であるメインタンク５から溢れ出さないように、余分な泡に温・冷送風機６から温風または冷風を吹き付けて瞬時に消す事の出来る装置を作製し、これを泡式捕虫器に導入したところ、常時新鮮な泡を発生させながら余分な泡を順次消してゆくことが可能になり、長期間連続運転が可能となった。これにより、泡式捕虫器が食品工場などへ導入する可能性が大きく進歩した。【選択図】図１
2006166720.tif 000002
【特許請求の範囲】
【請求項１】
泡の発生および消滅を繰り返しながら、泡を一定量に保つ装置
【請求項２】
長時間使用できる請求項１の捕虫器    
【発明の詳細な説明】
【技術分野】
【０００１】
連続して発生してくる泡を所望の容器から溢れ出さないように瞬時に消滅させる方法。
【背景技術】
【０００２】
界面活性剤に由来する泡にショウジョウバエや蛾などの虫が留まる事が出来るように、泡に虫が好む波長の光を照射したり、泡に虫に対する誘引物質を添加するなどして虫を集める方法おおよび装置が開発された。
【０００３】
本方法および装置で虫が捕獲できる仕組みは、泡の界面活性作用により、泡に留まった虫の呼吸器である気孔の働きを失わせて、虫を呼吸困難に陥らせて死滅させるものである。
【０００４】
このように本方法および装置で必要不可欠な泡は、発生させても数分から十数分程度で次第に消滅してしまう。一方連続的に泡を発生させると所望の容器から泡が溢れ出し、周囲に泡が散乱してしまう。
【０００５】
そこで従来の泡式捕虫器は、泡が一定量に保たれるようにセンサーによって泡を発生させるポンプを制御する方法、もしくは所望の容器から溢れ出そうな泡に消泡剤を吹き付けて余分な泡を消滅させる方法がとられてきた。
【０００６】
しかし、センサー方式では使用期間が長くなるに連れてセンサー部が汚染され感度が低下するため長時間使用には不向きな点が見られた。
【０００７】
一方、消泡剤を用いる方法は、泡の素となる溶液に消泡剤が混入するため、次第に泡が発生しなくなり、泡の再利用が出来なくなるため長期間使用には不向きである。
【０００８】
以上から、泡で虫を捕獲するという画期的な手法が開発されたにも関わらず、泡の量を確実に制御する方法は未だ見出されていない。
【非特許文献１】柘植秀樹・海野肇  著  「『泡』技術」
【発明の開示】
【発明が解決しようとする課題】
【０００９】
本発明は、泡を発生させた時、余分な泡を瞬時に消滅させ、容器から泡があふれ出さないようにするための技術である。
【００１０】
消泡剤を使用しないため、消滅した泡は基の液に戻り再度、泡の発生に利用することが出来る。
【課題を解決するための手段】
【００１１】
泡を発生させた時、泡の量が増大し、容器から溢れ出る直前に温風または熱風を吹き付けることで、泡が瞬時に消滅することが出来る。
【発明の効果】
【００１２】
消泡剤を使用しなため、消滅させた泡を再度泡発生の材料に利用できることから、泡の発生と消滅を長期間安定に繰り返すことが出来る。
【発明を実施するための最良の形態】
【００１３】
本発明を、泡式捕虫器として利用した場合の作製実施例および適応実施例を以下に示す。
【実施例１】
【００１４】
（作製実施例）
本発明の実施例として、泡式捕虫器の仕組みを以下に説明する。
泡式捕虫器の概略図を図１に示した。
洗剤溶液を溜めたメインタンクの中央から任意の高さの管を立てた。管の中にエアーポンプから引いたエアーチューブを管の下部まで通し、先端にエアーストーンを取り付けた。一方、管の上端にはフタを取り付け、そのフタと管との間には任意幅の隙間を設けた。
【００１５】
温・冷送風機からの風が入るようにメインタンクの側面に穴を開けた。本送風機から流入した風がメインタンクの中を対流する様にメインタンクの上部にヒサシを取り付けた。
【実施例２】
【００１６】
（適応実施例）
作製実施例で示した捕虫器を使用した場合における捕虫器の泡制御について以下に説明する。
【００１７】
エアーストーンから送った空気により管の中で泡を発生させる。発生した泡は管の内部を登り、管の上端より管の外壁面を伝ってメインタンクの方へ流れ落ちる。
【００１８】
流れ落ちてきた泡がメインタンクの入り口にさしかかると、送風機より送られてきた風によって崩壊し、基の液に戻る。  
【００１９】
泡が崩壊して液に戻ると、その液は再び泡の発生に利用できるので、新しく発生した泡が常に管の外壁面に存在することになる。さらに、流れ落ちてきた余分な泡は風によって速やかに崩壊するため、メインタンクより泡が溢れる心配もなくなる。従って、新鮮な泡を長期間、持続的に供給することが可能となった。
【産業上の利用可能性】
【００２０】
工場で生産された食品類や化粧品類などに対する消費者からのクレームの多くが異物混入に関するものである。混入した異物の大半はショウジョウバエなどの虫である。従って食品工場などでは虫の混入に対するチェックが厳重になされている。虫を捕獲する方法として、粘着テープの使用およびブラックライトに寄ってきた虫を感電死させる方法が用いられてきた。しかし、これらの方法は飛んでいる虫が粘着テープや電撃器に偶然衝突する確率に依存しているため、粘着テープや電撃器に虫が積極的に集まるという性質のものではない。従って、従来の方法では実際は虫が居るのに、居ないという判定が下されることが多かった。そこで、泡式捕虫器は泡自体が虫の好む光を発するように見せかけたり、泡自体に誘引剤を添加することから積極的にかつ効率よく虫を捕獲できるものである。しかし本捕虫方法は必要な泡の量を持続的に制御する方法が考案されていなかったため、食品工場などへの大規模な導入がなされなかった。本発明を泡式捕虫器に導入することで泡の生成と消滅を長期間繰り返すことが出来るようになり食品工場などにおける害虫チェックがより確実に行えることが期待できる。  
【図面の簡単な説明】
【００２１】
【図１】本発明を利用した泡式捕虫器の概略図である。
【符号の説明】
【００２２】
１    エアーポンプ
２    泡フタ
３    泡
４    泡管
５    メインタンク
６    温・冷送風機
７    液面
８    エアーストーン
【図１】
2006166720.tif 000003
(57)【要約】【課題】現金自動預け入れ・支払機のキャッシュカードによる強盗等からキャッシュカード持ち主の安全を確保する。【解決手段】  ＡＴＭ等の取引ではパスワードは一つしかなく、そのパスワードを識別すると取引されるものであったが、キャッシュカードの持ち主（以後嘆願者と記す）が強盗などにおそわれパスワードを教えてしまうと現金を奪われてしまい、その人がその後危険の成る可能性が大きい。しかし、もう一つ嘆願者が緊急危機通達パスワードを登録すれば、そのワードを機械に打ち込んだ時点でその銀行等に嘆願者の危機が確認でき、それに応じた救出行動をとる事が出来る。【選択図】図１
2006344204.tif 000002
【特許請求の範囲】
【請求項１】
キャッシュカードは通常使うパスワード登録され、該その他に通常時使わないパスワード登録される事を特徴とした、現金自動預け入れ・支払機システム。
【請求項２】
現金自動預け入れ・支払機システムは通常使わないパスワードを使われた場合、ＡＴＭに内蔵されたカメラが作動するシステム。
【請求項３】
通常使わないパスワードがＡＴＭで使われた場合、現金が予め登録された金額まで支払われるシステム。
【請求項４】
通常使わないパスワードがＡＴＭで使われた場合、嘆願者の安全を確保する行動をするシステム。
【請求項５】
携帯電話での取引において通常使われるパスワードの他に非常時を伝えるパスワードを登録したシステム。
【請求項６】
コンピューターでの取引において通常使われるパスワードの他に非常時を伝えるパスワードを登録したシステム。
【請求項７】
機械を使う取引において通常使われるパスワードの他に非常時を伝えるパスワードを登録した事を特徴としたシステム。
【請求項８】
少なくとも一つのシステムにおいて、通常使うパスワードと、その他に使うパスワードを持つことを特徴としたシステム。
【発明の詳細な説明】
【技術分野】
【０００１】  金融機関等の現金自動預け入れ・支払機（以後ＡＴＭと書く）、携帯電話等の支払い安全システムに関するものである。
【背景技術】
【０００２】  従来の自動支払いシステムでは、携帯電話、ＡＴＭ等の安全システムは無かった。
【発明が解決しようとする課題】
【０００３】  携帯電話、ＡＴＭ等のより安全な支払いシステムを提供するものである。暗証番号・記号・パスワード（以後パスワードと記す）を強盗等に教えると現金をＡＴＭ等より引き出され、襲われた人はその後命さえ危ない状態になっていた。又、その他の本人確認システムでは嘆願者以外では引き出されない為強盗は目的を達成出来ない時、より凶暴になる可能性があった。
【課題が解決しようとする手段】
【０００４】  携帯電話、ＡＴＭ等での取引ではパスワードは一つしかなく、そのパスワードを識別すると支払いされるものであったが、キャッシュカードの持ち主（以後嘆願者と記す）が強盗などにおそわれパスワードを教えてしまうと現金を奪われてしまっていたが、もう一つ嘆願者が緊急危機通達用のパスワードを登録すれば、番号を機械に打ち込んだ時点でその銀行等に嘆願者の危機が確認できる。
【発明を実施するための最良の形態】
【０００５】  本発明の実施の形態を実施例にもとづき図面を参照して説明する。
【実施例】
【０００６】  嘆願者は銀行２に予め通常使うパスワードを登録しておき、通常はこのワードを使い、強盗等におそわれた場合、予め登録しておいた危機通知パスワードをＡＴＭに打ち込むと、現金は予め登録しておいた支払い可能金までの金額を支払われるが、この時、ＡＴＭに仕込まれた隠しカメラ（図説せず）は作動しその一部始終を写し銀行２にその映像を記録し、警備会社、若しくは警察にその状況を知らせ、銀行２は嘆願者の安全を確保する等の行動する。この際嘆願者は、その顔写真、その他の体の特徴を銀行、警備会社に登録しておく事により捜査しやすくなる。【０００７】  又、携帯電話で株の売買等の証券取引等、銀行等の預貯金、その他の金融取引等のすべての取引の場合も、前記のＡＴＭの様に通常使うパスワードと緊急危機通知用パスワードを持たせ、通常使うときは、携帯電話に備えられカメラ等（この過程は省いても良い）で本人確認のデーターを送り、本人確認後、パスワードを使って取引するが、この時も前記と同じで、株の売買等の証券取引等、銀行等の預貯金等の金融取引等もパスワードを、通常使うパスワードと緊急危機時発生を知らせるパスワードを少なくとも２つ以上を登録し、緊急危機通知のパスワードを使う事で携帯電話持ち主の危機を知らせる事ができ、この緊急危機のパスワードが使用された時、ＧＰＳ（汎地球測位システム）等の使用により、携帯電話の使用位置を探知し、且つ、携帯電話に備え付けのカメラで使用している人顔等のデーターを使用者に気づかれないシステムで、銀行・警備会社等に送りそれを記録して、警備会社・警察に捜査の依頼をするが、この際、嘆願者は、緊急危機の情報を警察等に通達する場合、銀行・警備会社等に予め、その緊急危機時の警察要請の嘆願書を提出しておく。又、パーソナルコンピューター、及びコンピューターでの取引でも、この前記携帯電話での全ての金融取引機能を持たせる。【０００８】尚、この前記のシステムは、全ての金融取引の中で一個人において二つ以上のパスワードを一つのシステムの上で持つものであり、且つ、一つのシステムにおいて用途の違うパスワードを二つ以上持つものであり、この前記システムは電子通達システムすべてにおいて用いる事が出来る。【０００９】尚、本請求項、及び、前記全文でのパスワードの意味は暗証記号及び暗証番号を含む。
【発明の効果】
【００１０】  緊急危機通達パスワードを使うことにより、嘆願者が危機状態を他人に悟られずに他の人に知らせる事が出来き、その情報を銀行・警備会社等に通知する事が出来た。
【図面の簡単な説明】
【００１１】
【図１】  本発明の説明図
【符号の説明】
【００１２】  １…ＡＴＭ
２…銀行
【図１】
2006344204.tif 000003
(57)【要約】【課題】  一般に普及している携帯電話を使用し、簡単・確実に駐車することができる駐車場管理装置を提供する。【解決手段】  駐車場ゲートを開閉するシステムで、駐車場ゲートの前で、携帯電話にて駐車場ゲートを開閉するシステムであって、利用者がバー等に書かれている電話番号に電話するとゲート装置内の受信器がコール音を感知し、バーが上がることを特徴とする。【選択図】  図１
2006344201.tif 000002
【特許請求の範囲】
【請求項１】
駐車場ゲートを開閉するシステムで、駐車場ゲートの前で、携帯電話にて駐車場ゲートを開閉するシステムであって、利用者がバー等に書かれている電話番号に電話するとゲート装置内の受信器がコール音を感知し、バーが上がることを特徴とする駐車場管理装置。
【請求項２】
ゲート装置に車の出入をチェックするセンサを設けてなることを特徴とする請求項１記載の駐車場管理装置。
【請求項３】
携帯電話の履歴が分かるようデータ記憶部を設けてなることを特徴とする請求項１又は２記載の駐車場管理装置。
【発明の詳細な説明】
【技術分野】
【０００１】  この発明は、携帯電話を使用し、コール音にてゲートを開閉する駐車場管理装置に関するものである。
【背景技術】
【０００２】  従来の技術としては、駐車場内に駐車する車両を特定の駐車区域へ誘導する駐車車両誘導システムであって、車両側に配設され、当該車両に乗車している乗員に関する乗員データや当該車両に関する車両データを記録するデータ記録手段と、駐車場内に駐車する車両から前記データ記録手段に記録されている乗員データや車両データを電波信号により受信するデータ受信手段と、車両から前記データ受信手段により受信された乗員データや車両データに基づいて当該車両に乗車している乗員の特徴や当該車両の特徴を認識して駐車場内における駐車区域を決定する駐車区域決定手段と、該当する車両を前記駐車区域決定手段により決定された駐車区域へ誘導する駐車車両誘導手段とを備えたことを特徴とする駐車車両誘導システムがある。（特許文献１参照）【０００３】  さらに、他の従来の技術としては、障害者専用駐車場において、該専用駐車場の入口近傍に、装置本体を設け、該本体に回転表示灯を設け、さらに、前記装置本体には、文字表示器、カード挿入口、警告を促すための音声発生器とを設け、前記カード挿入口に適正なカードを挿入することにより、警告を解除することを特徴とする障害者専用駐車場における不正駐車防止装置がある。（特許文献２参照）
【特許文献１】  特開２００４−４６５１５号公報
【特許文献２】  実用新案登録第３０９４０７７号公報
【発明の開示】
【発明が解決しようとする課題】
【０００４】  しかし、上記前者においては、ナンバープレート上にＩＣチップが取り付けられている車両のみが駐車場に入れるシステムであり、台数が増えれば増えるほどコスト高となり、実施上問題がある。【０００５】  また、上記後者においては、カードを差し込むタイプであり、いちいち装置本体に差し込むため、雨の日や雪の日等は障害者にとっては苦痛となる。【０００６】  この発明は、上記の問題点に鑑みなされたもので、一般に普及している携帯電話を使用し、簡単・確実に駐車することができる駐車場管理装置を提供することを目的とする。
【課題を解決するための手段】
【０００７】  課題を解決するための手段として、駐車場ゲートの前で、携帯電話にて駐車場ゲートを開閉するシステムであって、利用者がバー等に書かれている電話番号に電話するとゲート装置内の受信器がコール音を感知し、バーが上がること。ゲート装置に車の出入をチェックするセンサを設けてなること、また、携帯電話の履歴が分かるデータ記憶部を設けたことを特徴とする。
【発明の効果】
【０００８】１）、携帯電話で指定の電話番号を入力し、コール音のみで、駐車場のゲートの開きをコントロールできるため、コストが掛らない。
２）、センサにて車の出入をチェックし、ゲートの閉じをコントロールすることができる。
３）、トラブルが発生した場合等、データ記憶部により電話番号から履歴が分かる。
【発明を実施するための最良の形態】
【０００９】  以下に、この発明の実施形態を図面に基づいて説明する。
駐車場管理装置１は、駐車場ゲート（バー）を開閉する装置であって、駐車場ゲートの前で、携帯電話３にて指定の電話番号（例えばバー２に電話番号を表示した表示板４を設ける）を入力することにより、ゲート装置１ａ内の受信器１ａ１がコール音を感知し、バー２が上がる。
この時、センサ５が感知し、通過後バー２を下げる。
これらの状況はデータ記憶部１ａ２内に蓄積され、必要に応じてチェックできる。【００１０】  なお、上記指定の電話番号は必要に応じて変更してもよい。
また、駐車場ゲートの形態は、特に限定するものではない。
さらに、用途として、企業全体におけるタイムカードとしても使用できる
さらにまた、本発明の駐車場管理装置は大型の駐車場の入口に１箇所設けてもよく、個々の駐車スペースに１つづつ設けてもよく、必要に応じて障害者の方々の専用として設置してもよい。
【図面の簡単な説明】
【００１１】
【図１】  この発明の一実施例を示す駐車場管理装置の構成図。
【図２】  この発明の一実施例を示す駐車場管理装置のフローチャート図。
【符号の説明】
【００１２】１−−−駐車場管理装置
２−−−バー
３−−−携帯電話
４−−−表示板
５−−−センサ
【図１】
2006344201.tif 000003
【図２】
2006344201.tif 000004